(57)【要約】【課題】  車載用後席ディスプレイ装置（リヤエンターテイメント）の機能を拡充する。【解決手段】  リヤエンターテイメント１のＤＶＤメカ部１１または表示部１４にカメラ１２を組み込み、このカメラ１２で車両後席の搭乗者や状況、または後席から見た車両後方の情景等を動画または静止画で撮影する。この撮影映像の信号を映像処理部１３で映像処理し、表示部１４に表示する。また、この撮影映像を記録する場合、キー入力部１８よりの操作入力に従い記録装置部１６に動画または静止画で記録される。また、カメラ１２の撮影映像は前席ナビ・モニタ部３に送られ、表示される。【選択図】        図１
2005170138.tif 000002
【特許請求の範囲】
【請求項１】
車両後席または車両後方を撮影するカメラと、前記カメラの撮影映像信号の処理をする映像処理手段と、車両後席の搭乗者が見るように設置され、前記映像処理手段からのカメラ撮影映像信号を表示する表示部とを備えた車載用後席ディスプレイ装置。
【請求項２】
映像処理手段は、カメラ撮影映像信号を車両前席のナビゲーションモニタ部へ送信し、このナビゲーションモニタ部に表示させることを特徴とする請求項１記載の車載用後席ディスプレイ装置。
【請求項３】
映像処理手段で処理したカメラ撮影映像信号を記録媒体に記録する記録手段を設けたことを特徴とする請求項１記載の車載用後席ディスプレイ装置。
【請求項４】
記録媒体は、記録手段から着脱可能としたことを特徴とする請求項３記載の車載用後席ディスプレイ装置。
【発明の詳細な説明】
【技術分野】
【０００１】
この発明は車両後席または車両後方を撮影するカメラを搭載し、このカメラによる撮影映像を表示することにより機能の拡充を図った車載用後席ディスプレイ装置に関するものである。
【背景技術】
【０００２】
車両後席の搭乗者が見るようにした従来の車載用後席ディスプレイ装置として例えば以下のものがある。
従来例１として、車載用後席ディスプレイ装置のディスプレイ表示面が通常時には後席搭乗者から見える向きに向けられ、この表示面にテレビ放送映像等を表示するが、車両の後退運転時の際には、運転手が後方を向いて目視確認する姿勢でディスプレイ表示面が見えるようにその向きを変更する一方、車両の後方死角を撮影する監視カメラからの映像をディスプレイに表示し、この表示映像を見て車両後方の死角部分の確認もできるようにしたものがある（例えば、特許文献１参照）。
【０００３】
従来例２として、車両後席の搭乗者が見るように、単にＤＶＤ（ディジタルビデオディスク）等の再生映像等を表示するようにしたものがある（例えば、特許文献２参照）。
【０００４】
【特許文献１】特開平１１−１２９８１５号公報
【特許文献２】特開平１１−２９１８１７号公報
【発明の開示】
【発明が解決しようとする課題】
【０００５】
従来の車載用後席ディスプレイ装置は以上のように構成されており、ディスプレイ装置の機能という観点からすれば、テレビ放送映像、ＤＶＤ等の再生映像、車両後方確認用のカメラ映像の他、ナビゲーション映像等を表示する機能に止まり、それ以外の機能としては持ち合わせていなという課題があった。
【０００６】
この発明は上記のような課題を解決するためになされたもので、カメラを搭載し、このカメラにより車両後席の搭乗者や状況、または後席から見た車両後方の情景等を撮影する機能を設けることにより、例えば鏡として利用できるように機能の拡充を図った車載用後席ディスプレイ装置を得ることを目的とする。
【課題を解決するための手段】
【０００７】
この発明に係る車載用後席ディスプレイ装置は、車両後席または車両後方を撮影するカメラと、車両後席の搭乗者が見るように設置され、映像処理後のカメラ撮影映像信号を表示する表示部とを備えたものである。
【発明の効果】
【０００８】
この発明によれば、車両後席の搭乗者等をカメラで撮影し、このカメラ撮影映像を後席搭乗者用として設置された表示部に表示するように構成したので、後席の搭乗者はこの表示部に自己の撮影映像を表示して、例えば鏡として利用できる一方、撮影および表示する機能を子供の遊び道具としても利用でき、車載用後席ディスプレイ装置としての機能を拡充することができる。
【発明を実施するための最良の形態】
【０００９】
以下、この発明の実施の一形態を説明する。
実施の形態１．
図１はこの発明の実施の形態１による車載用後席ディスプレイ装置（以下、「リヤエンターテイメント」とする）の構成を示すブロック図である。
図１において、このリヤエンターテイメント１は、ＤＶＤに記録された映像信号を再生し、出力するＤＶＤメカ部１１、車両後席の搭乗者や状況、または後席から見た車両後方の情景等を動画または静止画で撮影するカメラ１２、ＤＶＤメカ部１１からの再生映像信号またはカメラ１２からの撮影映像信号、さらには各種外部映像信号を入力させる外部映像入力部２からの入力映像信号について信号処理をする映像処理部１３、映像処理部１３で処理された映像信号を表示する液晶（ＬＣＤ）等の表示部１４、ＤＶＤメカ部１１からの再生音声信号について信号処理し、音声信号を出力する音声処理部１５、映像処理部１３で処理された映像信号を動画または静止画で記録する記録装置部１６、映像処理部１３および記録装置部１６等を制御するものであって、このリヤエンターテイメントの制御の中枢となるマイクロコンピュータ（以下、「マイコン」とする）１７、このマイコン１７に対し所要の操作入力をするキー入力部１８とを備えている。
【００１０】
ここで、マイコン１７と、このマイコン１７の制御を受ける映像処理部１３とを映像処理手段とし、マイコン１７と、このマイコン１７の制御を受ける記録装置部１６とを記録手段とした。
【００１１】
なお、キー入力部１８には、本体側のキー入力部の他、遠隔操作するリモートコントロール（以下、「リモコン」とする）が含まれる。
【００１２】
上記記録装置部１６において使用する記録媒体は、この記録装置部１６から着脱可能なものとするとよい。例えば、ハードディスク（ＨＤ）、メモリスティックまたはＤＶＤ−Ｒ等とする。
このように着脱可能とすることにより、記録した映像を他の装置で再生表示し確認することが可能となる。例えばハードディスクに記録し、このハードディスクをパソコン等で再生表示することができる。
【００１３】
また、図１に示すように、リヤエンターテイメント１は外部映像入力部２、車両前席に備えられたナビゲーションモニタ部（以下、「前席ナビ・モニタ部」とする）３およびヘッドフォン４と接続している。
ここで、外部映像入力部２はナビゲーション映像、テレビ放送の映像およびＶＴＲ（ビデオテープレコーダ）の再生映像等の信号をリヤエンターテイメント１の映像処理部１３へ入力させるものである。
前席ナビ・モニタ部３はリヤエンターテイメント１のマイコン１７と制御信号を授受し、この制御信号に従い映像処理部１３から映像信号が入力され、この映像信号がモニタ画面に表示される。この映像信号の他、音声処理部１５で処理された音声信号も前席ナビ・モニタ部３に入力され、スピーカ（図示せず）から音声出力される。
また、音声処理部１５で処理された音声信号はヘッドフォン４でも聴くことができる。
【００１４】
次に、上述の映像処理部１３について図２で説明する。
図２は映像処理部１３の構成を示すブロック図である。なお、図中の図１と同一のものについては同一符号を付してある。
この映像処理部１３は、ＤＶＤメカ部１１、カメラ１２および外部映像入力部２それぞれから入力する映像信号の中から所望の映像信号を選択する映像入力信号切替部１３ａ、映像入力信号切替部１３ａからの映像信号を所要のレベルまたは特性の映像信号にするように処理する信号処理部１３ｂ、信号処理部１３ｂで処理した映像信号を表示部１４および前席ナビ・モニタ部３に対し出力する映像出力部１３ｃ、信号処理部１３ｂで処理した映像信号を記録装置部１６に記録するか否かを選択する記録オンオフスイッチ１３ｄとを備えている。
上記映像入力信号切替部１３ａの切り替え、または記録オンオフスイッチ１３ｄのオン（記録する）、オフ（記録しない）は操作者によるキー入力部１８の操作に従いマイコン１７が設定する。
【００１５】
次に、図３について説明する。
図３は上記説明のリヤエンターテイメント１および前席ナビ・モニタ部３の実際の車両搭載例を示す図である。
図３に示すように、リヤエンターテイメント１は車両２１の後席天井部に装着され、このリヤエンターテイメント１にカメラ１２が取り付けられ、このカメラ１２が後席に着座する人２２の顔や後席の状況、さらには後席から見た車両後方の情景を撮影する。このカメラ１２の向き（角度）は自由に変えることができるようにしている。
また、このリヤエンターテイメント１を形成する表示部１４は開閉収納式とし、その表示面角度がマニュアルにより、またはリモコン等のキー入力部１８による遠隔操作により自由に変更できる機能を有している。
また、車両前席側には前席ナビ・モニタ部３が搭載されている。
【００１６】
次に、図４について説明する。
図４は図３に示したカメラ１２の実際の搭載位置例を示す図である。この図４はカメラ１２をＤＶＤメカ部１１の位置Ｐ１に内蔵する場合、または表示部１４の位置Ｐ２に組み込む場合を示すが、これらのいずれであってもよい。
特に、カメラ１２を表示部１４の位置Ｐ２に組み込む場合、図３で説明したように表示部１４はその表示面角度を自由に変更できるので、カメラ１２の向き（角度）についても自由に選べる利点がある。
【００１７】
次に動作について図５に従い説明する。図５はリヤエンターテイメント１の動作フローチャートである。なお、この図５では選択する映像ソースはカメラ１２の撮影映像またはＤＶＤメカ部１１からの再生映像の２系統として説明する。
【００１８】
ステップＳＴ１では、リヤエンターテイメント１が電源オン（ＯＮ）されて起動する。
【００１９】
ステップＳＴ２では、映像選択が行われる。この映像選択は操作者によるキー入力部１８の操作入力に従う。この操作入力に従い、マイコン１７はカメラ１２で撮影した動画または静止画の映像またはＤＶＤメカ部１１の映像のいずれかを選択するように映像処理部１３の映像入力信号切替部１３ａを設定する。この設定に従い選択された映像信号は信号処理部１３ｂで信号処理され、映像出力部１３ｃより表示部１４へ送られて映像表示されることとなる。また、音声信号についても音声処理部１５で処理され、ヘッドフォン４へ出力される。
また、キー入力部１８の操作入力にもとづき、マイコン１７は映像処理部１３の映像出力部１３ｃより信号処理した映像信号を前席ナビ・モニタ部３へ送り、モニタ表示させることもできる。
【００２０】
ステップＳＴ３では、マイコン１７は選択された映像がカメラ１２の映像またはＤＶＤメカ部１１の映像のいずれであるかを判断する。この判断は前述のステップＳＴ２におけるマイコン１７へのキー入力操作による設定指示に従い判断できる。
このステップＳＴ３における判断がカメラ１２の映像選択である場合、ステップＳＴ４へ進む。
【００２１】
ステップＳＴ４では、マイコン１７は選択されたカメラ１２の映像を記録装置部１６に記録するか否かを判断する。この判断はキー入力部１８からの記録オンオフスイッチ１３ｄに対する操作入力信号により判断できる。即ち、キー入力部１８からの操作入力信号が記録オンオフスイッチ１３ｄを「オフ（開）」にする信号であれば「記録しない」であり、「オン（閉）」にする信号であれば「記録する」である。
上記判断が「記録しない」（ステップＳＴ４−ＮＯ）の場合、マイコン１７は記録オンオフスイッチ１３ｄはオフ（開）にして処理を終了する。この場合、ステップＳＴ２で説明したようにカメラ１２の映像は映像処理部１３を経て表示部１４へ送られ、映像表示されることとなる。
これに対し、上記判断が「記録する」（ステップＳＴ４−ＹＥＳ）の場合、ステップＳＴ５へ進む。この場合、マイコン１７は記録オンオフスイッチ１３ｄをオン（閉）にする。
【００２２】
ステップＳＴ５は、マイコン１７はカメラ１２の映像が動画または静止画のいずれであるかについて判断する。この判断は例えば映像処理部１３の映像の動きの有無を検出し、判断する。
この判断において、「動画」である場合にはステップＳＴ６へ進み、「静止画」である場合にはステップＳＴ７へ進む。
【００２３】
ステップＳＴ６は、マイコン１７は動画を記録するように記録装置部１６を設定し、記録させる。
【００２４】
また、ステップＳＴ７は、マイコン１７は静止画を記録するように記録装置部１６を設定し、記録させる。
【００２５】
以上に対し、ステップＳＴ３における判断がＤＶＤメカ部１１の映像選択である場合にはステップＳＴ８へ進む。
【００２６】
ステップＳＴ８では、ＤＶＤメカ部１１においてＤＶＤの再生が行われ、この再生映像信号が映像処理部１３へ出力される。
【００２７】
ステップＳＴ９では、マイコン１７は選択されたＤＶＤメカ部１１の映像を記録装置部１６に記録するか否かを判断する。この判断についてはステップＳＴ４で説明した通りである。
この判断が「記録しない」（ステップＳＴ９−ＮＯ）の場合、マイコン１７は記録オンオフスイッチ１３ｄはオフ（開）にして処理を終了する。この場合、ステップＳＴ２で説明したようにＤＶＤメカ部１１の映像は映像処理部１３を経て表示部１４へ送られ、映像表示されることとなる。
これに対し、上記判断が「記録する」（ステップＳＴ９−ＹＥＳ）の場合、ステップＳＴ１０へ進む。この場合、マイコン１７は記録オンオフスイッチ１３ｄをオン（閉）に設定する。
【００２８】
ステップＳＴ１０は、マイコン１７は動画を記録するように記録装置部１６を設定し、記録させる。
【００２９】
以上説明のステップＳＴ６、ステップＳＴ７またはステップＳＴ１０における映像記録に使用する記録媒体は前述のようにこの記録装置部１６から着脱可能なハードディスク（ＨＤ）、メモリスティックまたはＤＶＤ−Ｒ等とする。
【００３０】
また、図５では、選択する映像ソースはカメラ１２の撮影映像またはＤＶＤメカ部１１からの再生映像の２系統として説明したが、テレビ放送の映像、ＶＴＲまたはナビゲーション映像等の他の映像ソースについてはＤＶＤメカ部１１の再生映像に準じて処理すればよい。
【００３１】
以上のように、この実施の形態１によれば、カメラ１２をリヤエンターテイメント１のＤＶＤメカ部１１または表示部１４に組み込み、このカメラ１２で車両後席の搭乗者や状況、または後席から見た車両後方の情景等を動画または静止画で撮影し、この撮影映像を映像処理して表示部１４に表示するようにように構成したので、後席の搭乗者はこの表示部を、例えば女性のメイク修正等の際の鏡として利用でき、または、撮影および表示する機能を子供の遊び道具としても利用でき、リヤエンターテイメント１としての機能を拡充することができる。
【００３２】
また、カメラ１２で撮影した動画または静止画のカメラ映像を前席ナビ・モニタ部３にも表示するように構成したので、後席の状況把握やシートベルトの着用状況などの安全の確認等がこのモニタ表示により容易に行えることができる。
また、後席天井部に収納された開閉式の表示部１４を開き、使用状態にした場合には運転席のルームミラー２３による車両後方視界の妨げとなるが、この場合、カメラ１２で車両後方を撮影し、このカメラ映像を前席ナビ・モニタ部３に表示することにより運転席のルームミラー２３の代りに利用でき、車両後方の確認が可能となる。
【００３３】
また、カメラ１２の撮影映像やＤＶＤメカ部１１による再生映像等の各種映像を記録装置部１６に記録するように構成したので、所望の映像を保存し、後に再生して楽しむことが可能となる。
【００３４】
また、記録装置部１６に使用する記録媒体はこの記録装置部１６から着脱可能なハードディスク（ＨＤ）、メモリスティックまたはＤＶＤ−Ｒ等としたので、例えばハードディスクに記録し、このハードディスクをパソコン等で再生表示する、というように記録した映像を他の装置で再生表示し確認することできる。
また、上記記録媒体に静止画を記録し、プリントアウトすることによりこのリヤエンターテイメント１を写真の機能として利用することができる。
【００３５】
また、表示面角度が遠隔操作等により自由に変更できる機能を有している表示部１４に
カメラ１２を組み込む場合には、この表示面角度を変えることによりカメラ１２の向き（角度）を自由に設定することができる。
【図面の簡単な説明】
【００３６】
【図１】この発明の実施の形態１によるリヤエンターテイメントの構成を示すブロック図である。
【図２】図１に示すリヤエンターテイメントにおける映像処理部の構成を示すブロック図である。
【図３】リヤエンターテイメントおよび前席ナビ・モニタ部の実際の車両搭載例を示す図である。
【図４】図３に示したカメラの実際の搭載位置例を示す図である。
【図５】この発明の実施の形態１によるリヤエンターテイメントの動作フローチャートである。
【符号の説明】
【００３７】
１  リヤエンターテイメント、２  外部映像入力部、３  前席ナビ・モニタ部、４  ヘッドフォン、１１  ＤＶＤメカ部、１２  カメラ、１３  映像処理部、１４  表示部、１５  音声処理部、１６  記録装置部、１７  マイコン、１８  キー入力部、２１  車両、２２  人、２３  ルームミラー。
【図１】
2005170138.tif 000003
【図２】
2005170138.tif 000004
【図３】
2005170138.tif 000005
【図４】
2005170138.tif 000006
【図５】
2005170138.tif 000007